(57)【要約】【課題】電源装置の設計の自由度を低下させることなく、電力線を収容する収容空間を形成できる照明器具を提供する。【解決手段】照明器具１００は、電力線６１と、電源装置４と、発光部３と、光源配置部１３とを備える。電力線６１は、一次電力を伝送する。電源装置４は、一次電力に基づいて二次電力を生成する。発光部３は、二次電力に基づいて光を発光する。光源配置部１３に、発光部３が配置される。光源配置部１３は、電源装置４の一側面４ｓと対向する対向面１３２を有する。光源配置部１３は、対向面１３２と電源装置４の一側面４ｓとの間に収容空間Ｓを形成する。電力線６１は、収容空間Ｓに収容される。【選択図】図３
2020184494.tif 000002
【特許請求の範囲】
【請求項１】
一次電力を伝送する電力線と、
前記一次電力に基づいて二次電力を生成する電源装置と、
前記二次電力に基づいて光を発光する発光部と、
前記発光部が配置される光源配置部と
を備え、
前記光源配置部は、前記電源装置の一側面と対向する対向面を有し、前記対向面と前記電源装置の一側面との間に収容空間を形成し、
前記電力線は、前記収容空間に収容される、照明器具。
【請求項２】
前記対向面は、前記電源装置の一側面に対して傾斜する、請求項１に記載の照明器具。
【請求項３】
前記光源配置部は、板状である、請求項１又は請求項２に記載の照明器具。
【発明の詳細な説明】
【技術分野】
【０００１】
本発明は、照明器具に関する。
【背景技術】
【０００２】
電線が配置される配線空間を有する照明器具が知られている。例えば、特許文献１の照明装置は、長尺の電源装置と、電線とを備える。特許文献１の照明装置は、電源装置の幅方向の両側に配線空間を有する。電線は、配線空間に配置される。より具体的には、特許文献１の照明装置は、電源装置が取り付けられる装置取付面部を備える。配線空間は、装置取付面部の幅方向の両側に設けられる。
【０００３】
配線空間は、仮想面である境界面と、底面部と、側面部とにより囲まれた空間である。底面部は、照明装置の上部に位置する。側面部は、底面部の端部から下方に延びる。底面部と側面部とは直交している。境界面は、底面部及び側面部に対向する傾斜面であり、断面視した配線空間の外形は、略直角三角形である。詳しくは、底面部は、高さ方向の位置が、装置取付面部が有する板部の上辺部と一致する。断面視した境界面は、板部の上辺部の端部から、側面部の下部に位置する基準部にわたって設けられる。境界面は、電源装置に対して傾斜している。
【先行技術文献】
【特許文献】
【０００４】
【特許文献１】特開２０１６−２０７６２４号公報
【発明の概要】
【発明が解決しようとする課題】
【０００５】
しかしながら、特許文献１の照明装置では、電源装置と電線とが干渉しないように、電源装置に、境界面に沿った傾斜部を設ける必要がある。あるいは、電源装置と電線とが干渉しないように、電源装置のサイズを小さくする必要がある。したがって、電源装置の設計の自由度が低下する。
【０００６】
本発明は上記課題に鑑みてなされたものであり、その目的は、電源装置の設計の自由度を低下させることなく、電力線を収容する収容空間を形成できる照明器具を提供することにある。
【課題を解決するための手段】
【０００７】
本願に開示する照明器具は、電力線と、電源装置と、発光部と、光源配置部とを備える。前記電力線は、一次電力を伝送する。前記電源装置は、前記一次電力に基づいて二次電力を生成する。前記発光部は、前記二次電力に基づいて光を発光する。前記光源配置部に、前記発光部が配置される。前記光源配置部は、前記電源装置の一側面と対向する対向面を有する。前記光源配置部は、前記対向面と前記電源装置の一側面との間に収容空間を形成する。前記電力線は、前記収容空間に収容される。
【０００８】
本願に開示する照明器具において、前記対向面は、前記電源装置の一側面に対して傾斜してもよい。
【０００９】
本願に開示する照明器具において、前記光源配置部は、板状であってもよい。
【発明の効果】
【００１０】
本発明によれば、電源装置の設計の自由度を低下させることなく、電力線を収容する収容空間を形成することができる。
【図面の簡単な説明】
【００１１】
【図１】本発明の実施形態に係る照明器具を示す斜視図である。
【図２】本発明の実施形態に係る照明器具の構成を示す底面図である。
【図３】本発明の実施形態に係る照明器具の断面図である。
【発明を実施するための形態】
【００１２】
以下、図面を参照して本発明の実施形態を説明する。ただし、本発明は以下の実施形態に限定されない。なお、説明が重複する箇所については、適宜説明を省略する場合がある。また、図中、同一又は相当部分については同一の参照符号を付して説明を繰り返さない。
【００１３】
まず、図１を参照して本実施形態の照明器具１００を説明する。図１は、本実施形態に係る照明器具１００を示す斜視図である。詳しくは、図１は、左斜め前の下方から見た照明器具１００を示す。
【００１４】
本実施形態の照明器具１００は、例えば、ベースライト、又は間接照明として使用される。また、本実施形態の照明器具１００は、例えば、天井面、又は壁面に設置される。あるいは、本実施形態の照明器具１００は、床面に設置されてもよい。天井面は、斜め天井面であってもよい。
【００１５】
図１に示すように、照明器具１００は、長尺の筐体１と、長尺のカバー部材２とを備える。筐体１は、互いに対向する第１壁部１１及び第２壁部１２を有する。第１壁部１１及び第２壁部１２は、筐体１の外壁を構成する。カバー部材２は、断面視円弧形状であり、第１壁部１１の縁１１ａから、第２壁部１２の縁１２ａにわたって配置される。
【００１６】
本実施形態では、発明の理解を容易にするため、筐体１の第１壁部１１が配置される側を「上側」とし、筐体１の第２壁部１２が配置される側を「下側」として、上下方向を規定する。また、カバー部材２が配置される側を「前側」とし、その反対側を「後側」として、前後方向を規定する。また、照明器具１００から前方を見て右側を「右側」と規定し、その反対側を「左側」と規定して左右方向を規定する。但し、これらの向きは、本発明の照明器具の製造時、施工時、及び使用時の向きを限定するものではない。
【００１７】
なお、第１壁部１１の縁１１ａは、第１壁部１１の前側の縁を示し、第２壁部１２の縁１２ａは、第２壁部１２の前側の縁を示す。第２壁部１２の縁１２ａは、第１壁部１１の縁１１ａよりも後側に位置する。カバー部材２は、筐体１の前面から下面の一部を覆うように配置される、また、照明器具１００、筐体１、及びカバー部材２は、左右方向に長い。
【００１８】
本実施形態では、照明器具１００が天井面Ｃ（図３）に設置される場合を例に照明器具１００を説明する。この場合、第１壁部１１が天井面Ｃ（図３）に設置される。第２壁部１２は、第１壁部１１の下方に位置する。換言すると、第１壁部１１は筐体１の上壁を構成し、第２壁部１２は筐体１の下壁を構成する。
【００１９】
続いて、図２を参照して本実施形態の照明器具１００を説明する。図２は、本実施形態に係る照明器具１００の構成を示す底面図である。詳しくは、図２は、照明器具１００の内部の配線を示す透視図である。なお、照明器具１００の内部の配線を明確に示すために、発光部３及び電源装置４を破線で示している。
【００２０】
図２に示すように、照明器具１００は、発光部３と、電源装置４と、第１端子部５と、第１電力線６１と、第２電力線６２と、第３電力線６３と、分岐部７と、第２端子部８とを更に備える。
【００２１】
発光部３は、光を発光する。発光部３は、電源装置４の隣に配置される。本実施形態において、発光部３は、電源装置４の前側に配置される。また、発光部３は、照明器具１００（筐体１）の長手方向に沿って延びる。本実施形態において、発光部３は、左右方向に沿って延びる。
【００２２】
発光部３は、図３を参照して後述する光源３１を有する。より具体的には、発光部３は、複数の光源３１を有する。複数の光源３１は、左右方向に沿って１列に並ぶように配置される。但し、複数の光源３１の配列は１列に限定されない。複数の光源３１は、左右方向に沿って２列以上に並んでもよいし、左右方向に沿って千鳥状に並んでもよい。
【００２３】
電源装置４は、一次電力に基づいて、発光部３を発光させる二次電力を生成する。発光部３は、二次電力に基づいて光を発光する。具体的には、図３を参照して後述する光源３１が、二次電力に基づいて光を発光する。一次電力は、例えば、外部電源から供給される。本実施形態において、一次電力は交流電圧に基づく電力であり、二次電力は直流電圧に基づく電力である。電源装置４は、交流電圧から、図３を参照して後述する光源３１を発光させる直流電圧を生成する。
【００２４】
本実施形態の電源装置４は、照明器具１００（筐体１）の長手方向に沿って延びる。換言すると、電源装置４は、左右方向に沿って延びる。具体的には、電源装置４は、直方体形状である。第１端子部５は、電源装置４の長手方向の一端側に配置される。本実施形態において、第１端子部５は、電源装置４の左側に配置される。
【００２５】
第１端子部５は、第１電力線６１の一端と接続している。第１電力線６１は、第１端子部５から分岐部７まで一次電力を伝送する。具体的には、第１端子部５には、照明器具１００の外部から照明器具１００の内部に引き込まれる外部電力線（図示せず）の一端が接続される。外部電力線（図示せず）は、第１端子部５に一次電力を伝送する。第１端子部５は、外部電力線（図示せず）から伝送された一次電力を第１電力線６１に通電する。
【００２６】
本実施形態では、外部電力線（図示せず）から第１端子部５へ交流電圧が伝送される。交流電圧は、第１端子部５を介して第１電力線６１に通電される。第１電力線６１は、分岐部７まで交流電圧を伝送する。
【００２７】
第１電力線６１は、照明器具１００（筐体１）の長手方向に沿って配置される。より具体的には、第１電力線６１は、電源装置４の長手方向に沿って、電源装置４の隣を通過するように配置される。本実施形態では、第１電力線６１は、電源装置４の前側を通過するように配置される。詳しくは、第１電力線６１は、発光部３の裏側を通過するように配置される。ここで、発光部３の裏側は、光源３１が配置される側に対する反対側を示す。
【００２８】
分岐部７は、電源装置４の長手方向の他端側に配置される。具体的には、分岐部７は、電源装置４の右側に配置される。分岐部７には、第１電力線６１の他端と、第２電力線６２の一端と、第３電力線６３の一端とが接続される。分岐部７は、第１電力線６１を介して伝送された一次電力を、第２電力線６２及び第３電力線６３に通電させる。第２電力線６２の他端は、電源装置４と接続する。この結果、電源装置４に一次電力が伝送される。
【００２９】
第３電力線６３の他端は、第２端子部８と接続する。本実施形態において、第２端子部８は、分岐部７の右側に配置される。第２端子部８には、２つ以上の照明器具１００を連結する場合に、外部電力線（図示せず）の一端が接続される。例えば、２つの照明器具１００を左右方向に沿って連結する場合、左側に配置される照明器具１００の第２端子部８に、右側に配置される照明器具１００の第１端子部５へ一次電力を伝送する外部電力線（図示せず）の一端が接続される。左側に配置される照明器具１００の第２端子部８は、第３電力線６３を介して伝送された一次電力を外部電力線（図示せず）に通電させる。
【００３０】
続いて、図３を参照して本実施形態の照明器具１００を説明する。図３は、本実施形態に係る照明器具１００の断面図である。詳しくは、図３は、図２のＩＩＩ−ＩＩＩ線に沿った照明器具１００の断面を示す。
【００３１】
図３に示すように、照明器具１００は、筐体１、カバー部材２、発光部３、電源装置４、及び第１電力線６１に加えて、光源配置部１３と、電源ボックス４０と、絶縁シート４１とを更に備える。
【００３２】
筐体１は、電源装置４を収容する。具体的には、電源装置４は、発光部３の後側に配置される。より具体的には、電源装置４は、電源ボックス４０の内部に収容され、電源ボックス４０が発光部３の後側に配置される。本実施形態において、電源ボックス４０は、筐体１の第１壁部１１に固定される。その結果、電源装置４が、筐体１の第１壁部１１に対して固定される。換言すると、電源装置４が筐体１に第１壁部１１に配置される。図１を参照して説明したように、第１壁部１１は、筐体１の外壁を構成する。本実施形態によれば、電源装置４が筐体１の外壁（第１壁部１１）に配置されるため、照明器具１００の小型化を図ることができる。
【００３３】
より詳しくは、電源装置４は、絶縁シート４１によって囲まれた状態（あるいは、包まれた状態）で、電源ボックス４０の内部に収容される。本実施形態の電源ボックス４０は、上面が開放された箱状部材である。したがって、電源装置４は、絶縁シート４１を介して、筐体１の第１壁部１１に対向する。
【００３４】
カバー部材２は、発光部３を覆う。カバー部材２は、例えば、セード、又は拡散カバーである。カバー部材２は、透明又は半透明であり、発光部３から発光された光を透過する。カバー部材２は、例えば、乳白色の半透明な材料からなる。
【００３５】
発光部３は、光源３１と、配線基板３２とを有する。光源３１は、光を発光する。本実施形態の光源３１は、発光素子として、ＬＥＤ（Ｌｉｇｈｔ  Ｅｍｉｔｔｉｎｇ  Ｄｉｏｄｅ）素子を有する。より具体的には、光源３１は、例えば、ＳＭＤ（ｓｕｒｆａｃｅ  ｍｏｕｎｔ  ｄｅｖｉｃｅ）、又はＣＯＢ（ｃｈｉｐ  ｏｎ  ｂｏａｒｄ）である。
【００３６】
光源３１は、配線基板３２に実装される。配線基板３２は、図２を参照して説明した照明器具１００（筐体１）の長手方向に沿って延びる。配線基板３２には、配線が形成されている。配線基板３２の配線は、光源３１に二次電力を供給する。具体的には、配線基板３２の配線は、光源３１に直流電圧を印加する。
【００３７】
光源配置部１３は、図２を参照して説明した照明器具１００（筐体１）の長手方向に沿って延びる。光源配置部１３は、電源装置４の隣に設けられる。具体的には、光源配置部１３は、電源装置４の前側に設けられる。換言すると、光源配置部１３は、電源ボックス４０の前側に設けられる。本実施形態において、光源配置部１３は筐体１の一部である。したがって、筐体１が光源配置部１３を有する。筐体１が光源配置部１３を有することにより、照明器具１００の部品点数を削減することができる。
【００３８】
光源配置部１３には、発光部３が配置される。詳しくは、光源配置部１３は板状であり、光源配置面１３１と、対向面１３２とを有する。光源配置面１３１は、カバー部材２に対向する。発光部３は、光源配置面１３１に配置される。本実施形態において、対向面１３２は光源配置面１３１の反対側の面であり、電源装置４の前面４ｓに対向する。具体的には、対向面１３２は、電源ボックス４０の前面４０ｓに対向する。電源装置４の前面４ｓは、電源装置４の一側面の一例である。
【００３９】
本実施形態において、光源配置部１３は、電源装置４の前面４ｓに対して傾斜する。換言すると、光源配置部１３は、電源ボックス４０の前面４０ｓに対して傾斜する。光源配置部１３が電源装置４の前面４ｓに対して傾斜することにより、光源配置面１３１及び対向面１３２も、電源装置４の前面４ｓ（電源ボックス４０の前面４０ｓ）に対して傾斜する。また、光源配置面１３１が電源装置４の前面４ｓに対して傾斜するため、発光部３は、電源装置４の前面４ｓに対して傾斜する姿勢で配置される。
【００４０】
光源配置部１３は、対向面１３２と電源装置４の前面４ｓとの間に収容空間Ｓを形成する。具体的には、光源配置部１３は、対向面１３２と電源ボックス４０の前面４０ｓとの間に収容空間Ｓを形成する。収容空間Ｓに第１電力線６１が収容される。
【００４１】
本実施形態の筐体１は、収容空間形成部１１１を更に有する。収容空間形成部１１１は、光源配置部１３の対向面１３２と対向する。収容空間Ｓは、光源配置部１３と収容空間形成部１１１との間に形成される。具体的には、第１壁部１１が収容空間形成部１１１を有する。換言すると、収容空間形成部１１１は、第１壁部１１の一部である。収容空間形成部１１１は、第１壁部１１のうち、電源装置４が配置される部分よりも前側に位置する。光源配置部１３の対向面１３２と収容空間形成部１１１の内壁面１１１ｓとの間の角度θは、０度より大きく、９０度より小さい。つまり、角度θは、鋭角である。
【００４２】
詳しくは、光源配置部１３は、収容空間形成部１１１と接続する第１縁部１３ａと、第１縁部１３ａとは反対側の第２縁部１３ｂとを有する。第１縁部１３ａ及び第２縁部１３ｂは、図２を参照して説明した照明器具１００（筐体１）の長手方向に沿って延びる。
【００４３】
第１縁部１３ａは、第２縁部１３ｂと比べて、電源装置４の前面４ｓ（電源ボックス４０の前面４０ｓ）から遠い。第２縁部１３ｂは、第１縁部１３ａと比べて、第１壁部１１から遠く、電源装置４の前面４ｓ（電源ボックス４０の前面４０ｓ）に近い。その結果、光源配置部１３の対向面１３２と収容空間形成部１１１の内壁面１１１ｓとの間の角度θは、０度より大きく、９０度より小さくなる。
【００４４】
より具体的には、光源配置部１３は、前側ほど第１壁部１１（天井面Ｃ）に近づき、後側ほど第１壁部１１（天井面Ｃ）から遠ざかるように傾斜する。換言すると、光源配置部１３は、斜め前上方に傾斜する。したがって、光源配置面１３１及び対向面１３２も、斜め前上方に傾斜する。光源配置面１３１が斜め前上方に傾斜するため、発光部３から発光された光は斜め前下方に照射される。
【００４５】
以上、図１〜図３を参照して本発明の実施形態を説明した。本実施形態によれば、電源装置４と光源配置部１３との間に収容空間Ｓを形成することができる。具体的には、電源ボックス４０と光源配置部１３との間に収容空間Ｓを形成することができる。したがって、電源装置４の設計の自由度を低下させることなく収容空間Ｓを形成することができる。
【００４６】
また、本実施形態によれば、光源配置部１３の対向面１３２が電源装置４の一側面（前面４ｓ）に対して傾斜するため、第１電力線６１を電源装置４からより離れた位置に配置することができる。したがって、電源装置４から放出されるノイズが第１電力線６１に伝搬し難くなる。
【００４７】
また、本実施形態によれば、光源配置部１３が電源装置４の一側面（前面４ｓ）に対して傾斜するため、光源配置部１３が電源装置４の一側面（前面４ｓ）に対して直交する構成と比べて、照明器具１００の前後方向のサイズを縮小することができ、ひいては照明器具１００の小型化を図ることができる。
【００４８】
また、本実施形態によれば、光源配置部１３の対向面１３２と収容空間形成部１１１の内壁面１１１ｓとの間の角度θが鋭角であるため、光源配置部１３の対向面１３２と収容空間形成部１１１の内壁面１１１ｓとの間に第１電力線６１を挟んで位置決めすることができる。
【００４９】
また、本実施形態によれば、光源配置部１３が板状であるため、光源配置面１３１の傾斜角度の精度を高めることができる。
【００５０】
以上、図面を参照して本発明の実施形態について説明した。ただし、本発明は、上記の実施形態に限られるものではなく、その要旨を逸脱しない範囲で種々の態様において実施できる。また、上記の実施形態に開示される複数の構成要素は適宜改変可能である。
【００５１】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【００５２】
例えば、本発明による実施形態において、一次電力は交流電圧に基づく電力であったが、一次電力は直流電圧に基づく電力であってもよい。
【００５３】
また、本発明による実施形態において、二次電力は直流電圧に基づく電力であったが、二次電力は交流電圧に基づく電力であってもよい。
【００５４】
また、本発明による実施形態では、第１端子部５に外部電源から一次電力が供給される構成について説明したが、第１端子部５に他の照明器具１００から一次電力が供給されてもよい。
【００５５】
また、本発明による実施形態において、光源３１は、発光素子としてＬＥＤ素子を有したが、発光素子は、光を発光する素子であればよく、ＬＥＤ素子に限定されない。例えば、発光素子は、有機ＥＬ（ｅｌｅｃｔｒｏ−ｌｕｍｉｎｅｓｃｅｎｃｅ）素子であってもよい。
【００５６】
また、本発明による実施形態において、照明器具１００は、分岐部７及び第２端子部８を有したが、分岐部７及び第２端子部８は省略され得る。
【００５７】
また、本発明による実施形態では、筐体１が光源配置部１３を有したが、筐体１と、光源配置部１３とは別部材であってもよい。
【００５８】
また、本発明による実施形態において、光源配置部１３は板状であったが、光源配置部１３は、光源配置面１３１と、対向面１３２とを有する限り、板状に限定されない。
【００５９】
また、本発明による実施形態において、光源配置部１３の対向面１３２は、電源装置４の一側面（前面４ｓ）に対して傾斜したが、光源配置部１３の対向面１３２は、電源装置４の一側面（前面４ｓ）と平行であってもよい。換言すると、光源配置部１３の対向面１３２は、第１壁部１１に対して垂直であってもよい。
【００６０】
また、本発明による実施形態において、電源装置４は筐体１の外壁（第１壁部１１）に配置されたが、電源装置４は、筐体１の外壁よりも内側に配置されてもよい。
【００６１】
また、本発明による実施形態では、電源装置４の一側面（前面４ｓ）が、光源配置部１３の裏側の面と対向したが、電源装置４の一側面（前面４ｓ）が光源配置面１３１と対向するように光源配置部１３が設けられてもよい。換言すると、電源装置４の一側面（前面４ｓ）と対向する対向面は、光源配置面１３１と同じ面であってもよい。この場合、第１縁部１３ａは、第２縁部１３ｂと比べて、電源装置４の前面４ｓ（電源ボックス４０の前面４０ｓ）に近い。第２縁部１３ｂは、第１縁部１３ａと比べて、第１壁部１１から遠く、電源装置４の前面４ｓ（電源ボックス４０の前面４０ｓ）からも遠い。具体的には、光源配置部１３は、前側ほど第１壁部１１（天井面Ｃ）から遠ざかり、後側ほど第１壁部１１（天井面Ｃ）に近づくように傾斜する。換言すると、光源配置部１３は、斜め前下方に傾斜する。また、光源配置部１３の裏側の面は、第１壁部１１と対向し、光源配置部１３の裏側の面と第１壁部１１との間の角度は鋭角となる。なお、この場合、収容空間形成部１１１は省略され得る。
【産業上の利用可能性】
【００６２】
本発明は、照明器具に有用である。
【符号の説明】
【００６３】
１        筐体
３        発光部
４        電源装置
４ｓ      前面（一側面）
１１      第１壁部（外壁）
１３      光源配置部
６１      第１電力線
１１１    収容空間形成部
１３２    対向面
Ｓ        収容空間
【図１】
2020184494.tif 000003
【図２】
2020184494.tif 000004
【図３】
2020184494.tif 000005